(57)【特許請求の範囲】
【請求項１】
複数の表示画素によって構成された第１有効表示部を備えた第１表示パネルと、
複数の表示画素によって構成された第２有効表示部を備え、前記第１表示パネルの背面側に配置された第２表示パネルと、
前記第１表示パネルと前記第２表示パネルとを接続するフレキシブル配線基板と、を備え、
前記フレキシブル配線基板は、前記第２有効表示部において表示画素の列方向に沿って配置された複数の信号線に接続された第１配線群と、前記第２有効表示部において表示画素の行方向に沿って配置された複数の走査線に接続された第２配線群と、を備え、
前記第１表示パネルは、前記第１有効表示部の外側に位置する外周部に配置されるとともに前記第１有効表示部及び前記第２有効表示部におけるそれぞれの表示画素を駆動するための駆動信号を出力する駆動信号源を備え、
前記駆動信号源は、前記第１有効表示部において表示画素の行方向に沿って配置された複数の走査線及び前記第１有効表示部において表示画素の列方向に沿って配置された複数の信号線に接続され、しかも、前記第１表示パネルにおける外周部の一端側を経由して前記第２配線群に接続されるとともに、前記第１表示パネルにおける外周部の他端側を経由して前記第１配線群に接続されたことを特徴とする表示装置。
【請求項２】
前記駆動信号源は、前記第１有効表示部の信号線に駆動信号を出力する第１信号線駆動部と、前記第２有効表示部の信号線に駆動信号を出力する第２信号線駆動部とを備え、これらの第１信号線駆動部と第２信号線駆動部とは隣接することを特徴とする請求項１に記載の表示装置。
【請求項３】
前記第１表示パネル及び前記第２表示パネルは、一対の基板間に液晶層を保持した液晶表示パネルであることを特徴とする請求項１または２に記載の表示装置。
【請求項４】
前記駆動信号源は、前記第１有効表示部の走査線に駆動信号を出力する第１走査線駆動部と、前記第２有効表示部の走査線に駆動信号を出力する第２走査線駆動部とを備え、これらの第１走査線駆動部と第２走査線駆動部とは隣接することを特徴とする請求項１乃至３のいずれか１項に記載の表示装置。
【請求項５】
前記第１走査線駆動部は、前記第１表示パネルにおける外周部の一端側に配置された第１接続配線を介して前記第１有効表示部の走査線と電気的に接続され、
前記第２走査線駆動部は、前記第１表示パネルにおける外周部の一端側に配置された第２接続配線を介して前記第２配線群と電気的に接続されたことを特徴とする請求項４に記載の表示装置。
【請求項６】
前記第２配線群は、前記第２表示パネルにおける外周部に配置された第３接続配線を介して前記第２有効表示部の走査線と電気的に接続されたことを特徴とする請求項５に記載の表示装置。
【請求項７】
前記第２信号線駆動部は、前記第１表示パネルにおける外周部の他端側に配置された第４接続配線を介して前記第１配線群と電気的に接続されたことを特徴とする請求項２に記載の表示装置。
【発明の詳細な説明】
【技術分野】
【０００１】
この発明は、表示装置に係り、特に、メイン表示パネルとその背面に配置されたサブ表示パネルとを備えた表示装置に関する。
【背景技術】
【０００２】
液晶表示装置などの表示装置は、マトリクス状の表示画素によって構成された有効表示部を備えている。この有効表示部は、表示画素の行方向に沿って延在する複数の走査線、表示画素の列方向に沿って延在する複数の信号線、これら走査線と信号線との交差部付近に配置されたスイッチング素子、スイッチング素子に接続された画素電極などを備えている。
【０００３】
近年、メイン表示パネルとは別体のサブ表示パネルを備えた２つの有効表示部を有する表示装置が提案されている。このような構成の表示装置では、メイン表示パネルとサブ表示パネルとは、フレキシブル配線基板を介して電気的に接続されている。このような２つの表示パネルを備えた液晶表示装置において、それぞれの表示パネルに配置された信号線ドライバにより各表示パネルの信号線に独立した駆動信号を供給するとともに、一方の表示パネルに配置された走査線ドライバにより各表示パネルの走査線に共通の駆動信号を供給する技術が提案されている（例えば、特許文献１参照）。
【特許文献１】特開２０００−２５００６４号公報
【発明の開示】
【発明が解決しようとする課題】
【０００４】
特許文献１のような液晶表示装置では、走査線ドライバ及び信号線ドライバは、各表示パネルにフレキシブル配線基板を介して接続されている。これらのフレキシブル配線基板を接続するためのスペースや、接続されたフレキシブル配線基板を収納するためのスペースなどを確保する必要があり、液晶表示装置全体のサイズが大型化してしまう。また、各表示パネルようにそれぞれドライバを用意する必要があり、液晶表示装置のコストアップを招く。
【０００５】
この発明は、上述した問題点に鑑みなされたものであって、その目的は、小型化及び低コスト化が可能な表示装置を提供することにある。
【課題を解決するための手段】
【０００６】
本実施形態によれば、
複数の表示画素によって構成された第１有効表示部を備えた第１表示パネルと、複数の表示画素によって構成された第２有効表示部を備え、前記第１表示パネルの背面側に配置された第２表示パネルと、前記第１表示パネルと前記第２表示パネルとを接続するフレキシブル配線基板と、を備え、前記フレキシブル配線基板は、前記第２有効表示部において表示画素の列方向に沿って配置された複数の信号線に接続された第１配線群と、前記第２有効表示部において表示画素の行方向に沿って配置された複数の走査線に接続された第２配線群と、を備え、前記第１表示パネルは、前記第１有効表示部の外側に位置する外周部に配置されるとともに前記第１有効表示部及び前記第２有効表示部におけるそれぞれの表示画素を駆動するための駆動信号を出力する駆動信号源を備え、前記駆動信号源は、前記第１有効表示部において表示画素の行方向に沿って配置された複数の走査線及び前記第１有効表示部において表示画素の列方向に沿って配置された複数の信号線に接続され、しかも、前記第１表示パネルにおける外周部の一端側を経由して前記第２配線群に接続されるとともに、前記第１表示パネルにおける外周部の他端側を経由して前記第１配線群に接続されたことを特徴とする表示装置が提供される。
【発明の効果】
【０００７】
この発明によれば、小型化及び低コスト化が可能な表示装置を提供することができる。
【発明を実施するための最良の形態】
【０００８】
以下、この発明の一実施の形態に係る表示装置について図面を参照して説明する。
【０００９】
（第１実施形態）  
図１に示すように、表示装置の一例としての液晶表示装置は、略矩形平板状の液晶表示パネルすなわちメイン表示パネル（第１表示パネル）１を備えている。このメイン表示パネル１は、一対の基板すなわちアレイ基板３及び対向基板４と、これら一対の基板の間に光変調層として保持された液晶層５と、によって構成されている。このメイン表示パネル１は、画像を表示する矩形状の第１有効表示部６Ａを備えている。この第１有効表示部６Ａは、マトリクス状に配置された複数の表示画素ＰＸによって構成されている。
【００１０】
アレイ基板３は、第１有効表示部６Ａにおいて、表示画素ＰＸの行方向に沿って延在する複数の走査線ＭＹ（１、２、３、…、ｍ）、表示画素ＰＸの列方向に沿って延在する複数の信号線Ｘ（１、２、３、…、ｎ）、これら走査線ＭＹと信号線Ｘとの交差部付近において表示画素ＰＸ毎に配置されたスイッチング素子７、スイッチング素子７に接続された画素電極８などを備えている。
【００１１】
スイッチング素子７は、薄膜トランジスタ（ＴＦＴ）などで構成されている。このスイッチング素子７のゲート電極７Ｇは、対応する走査線ＭＹに電気的に接続されている（あるいは走査線と一体に形成されている）。スイッチング素子７のソース電極７Ｓは、対応する信号線Ｘに電気的に接続されている（あるいは信号線と一体に形成されている）。スイッチング素子７のドレイン電極７Ｄは、対応する表示画素ＰＸの画素電極８に電気的に接続されている。
【００１２】
対向基板４は、第１有効表示部６Ａにおいて、全表示画素ＰＸに共通の対向電極９などを備えている。これらアレイ基板３及び対向基板４は、画素電極８と対向電極９とを対向させた状態で配設され、これらの間にギャップを形成する。液晶層５は、アレイ基板３と対向基板４とのギャップに封止された液晶組成物によって形成されている。
【００１３】
メイン表示パネル１は、第１有効表示部６Ａの外側に位置する外周部１０に配置された駆動信号源としての駆動ＩＣチップ１１を備えている。図１に示した例では、駆動ＩＣチップ１１は、対向基板４の一端部４Ａより外方に延在したアレイ基板３の第１延在部１０Ａ上に配置されている。また、メイン表示パネル１は、サブ表示パネル２との接続を可能とする接続パッド部ＰＰ１を備えている。図１に示した例では、接続パッド部ＰＰ１は、対向基板４の他端部４Ｂより外方に延在したアレイ基板３の第２延在部１０Ｄ上に配置されている。サブ表示パネル２は、基本的にメイン表示パネル１と同一構造であるので、同一の構成要素には同一の参照符号を付して詳細な説明を省略する。
【００１４】
すなわち、図２に示すように、サブ表示パネル２は、一対の基板すなわちアレイ基板３００及び対向基板４００と、これら一対の基板の間に光変調層として保持された液晶層５００と、によって構成されている。このサブ表示パネル２は、画像を表示する矩形状の第２有効表示部６Ｂを備えている。この第２有効表示部６Ｂは、マトリクス状に配置された複数の表示画素ＰＸによって構成されている。
【００１５】
アレイ基板３００は、第２有効表示部６Ｂにおいて、表示画素ＰＸの行方向に沿って延在する複数の走査線ＳＹ（１、２、３、…、ｍ）、表示画素ＰＸの列方向に沿って延在する複数の信号線Ｘ（１、２、３、…、ｎ）、これら走査線ＳＹと信号線Ｘとの交差部付近において表示画素ＰＸ毎に配置されたスイッチング素子７、スイッチング素子７に接続された画素電極８などを備えている。スイッチング素子７のゲート電極７Ｇは、対応する走査線ＳＹに電気的に接続されている（あるいは走査線と一体に形成されている）。対向基板４００は、第２有効表示部６Ｂにおいて、全表示画素ＰＸに共通の対向電極９などを備えている。
【００１６】
また、サブ表示パネル２は、メイン表示パネル１との接続を可能とする接続パッド部ＰＰ２を備えている。図２に示した例では、接続パッド部ＰＰ２は、対向基板４００の一端部４００Ａより外方に延在したアレイ基板３００の延在部３００Ａ上に配置されている。これらメイン表示パネル１とサブ表示パネル２とは、フレキシブル配線基板ＦＰＣを介して電気的に接続されている。すなわち、フレキシブル配線基板ＦＰＣは、メイン表示パネル１の接続パッド部ＰＰ１及びサブ表示パネル２の接続パッド部ＰＰ２にそれぞれ接続されている。このフレキシブル配線基板ＦＰＣを折り曲げることにより、サブ表示パネル２は、メイン表示パネル１の背面側に配置される。
【００１７】
メイン表示パネル１に実装された駆動ＩＣチップ１１は、信号線駆動部１１Ｘ、及び、走査線駆動部１１Ｙを有している。信号線駆動部１１Ｘは、メイン表示パネル１及びサブ表示パネル２の各信号線Ｘに駆動信号（映像信号）を供給する。走査線駆動部１１Ｙは、メイン表示パネル１の各走査線ＭＹに対して駆動信号（走査信号）を供給する第１走査線駆動部（第１駆動部）１１Ｙ１、及び、サブ表示パネル２の各走査線ＳＹに対して駆動信号を供給する第２走査線駆動部（第２駆動部）１１Ｙ２を含んでいる。これら第１走査線駆動部１１Ｙ１及び第２走査線駆動部１１Ｙ２は、隣接するように配置されている。
【００１８】
すなわち、上述したような構成においては、メイン表示パネル１の第１有効表示部６Ａに配置された信号線Ｘ（１、２、３、…、ｎ）は、それぞれの一端部が第１有効表示部６Ａから引き出されて信号線駆動部１１Ｘに接続されるとともに、それぞれの他端部が第１有効表示部６Ａから引き出されて接続パッド部ＰＰ１に接続されている。また、サブ表示パネル２の第２有効表示部６Ｂに配置された信号線Ｘ（１、２、３、…、ｎ）は、それぞれの一端部が第２有効表示部６Ｂから引き出されて接続パッド部ＰＰ２に接続されている。
【００１９】
フレキシブル配線基板ＦＰＣは、第２有効表示部６Ｂに配置された信号線Ｘ（１、２、３、…、ｎ）とそれぞれ接続された第１配線群Ｇ１を備えている。つまり、第１配線群Ｇ１は、信号線Ｘの本数に対応して少なくともｎ本の配線からなり、且つ、接続パッド部ＰＰ１と接続パッド部ＰＰ２とを電気的に接続する配線である。これにより、第１有効表示部６Ａの信号線Ｘ（１、２、３、…、ｎ）は、フレキシブル配線基板ＦＰＣの第１配線群Ｇ１を介して、第２有効表示部６Ｂに配置された信号線Ｘ（１、２、３、…、ｎ）とそれぞれ電気的に接続される。
【００２０】
このような構成において、信号線駆動部１１Ｘは、メイン表示パネル１及びサブ表示パネル２の各信号線Ｘに駆動信号（映像信号）を供給する。例えば、信号線駆動部１１Ｘの出力端子Ｔ１から出力された駆動信号は、メイン表示パネル１の信号線Ｘ１に供給されるとともに、フレキシブル配線基板ＦＰＣの第１配線群Ｇ１を介してサブ表示パネル２の信号線Ｘ１に供給される。
【００２１】
第１走査線駆動部１１Ｙ１は、メイン表示パネル１において外周部１０の一端側１０Ｃに配置された第１接続配線ＭＷ（１、２、３、４、…、ｍ）を介して第１有効表示部６Ａの各走査線ＭＹと電気的に接続されている。つまり、第１駆動部１１Ｙ１から出力された駆動信号は、第１接続配線ＭＷ（１、２、３、４、…、ｍ）のそれぞれを介して対応する走査線ＭＹ（１、２、３、４、…、ｍ）に供給され、第１有効表示部６Ａの表示画素ＰＸをオン・オフさせる。すなわち、第１有効表示部６Ａの各表示画素ＰＸに含まれるスイッチング素子７は、対応する走査線ＭＹから供給された駆動信号に基づいてオン・オフ制御される。
【００２２】
第２走査線駆動部１１Ｙ２は、メイン表示パネル１において外周部１０の一端側１０Ｃに配置された第２接続配線ＳＷ（１、２、３、４、…、ｍ）を介して接続パッド部ＰＰ１に接続されている。また、第２有効表示部６Ｂの各走査線ＳＹは、サブ表示パネル２の第２有効表示部６Ｂの外側に位置する外周部３１０に配置された第３接続配線ＴＷ（１、２、３、４、…、ｍ）を介して接続パッド部ＰＰ２に接続されている。
【００２３】
フレキシブル配線基板ＦＰＣは、第２有効表示部６Ｂに配置された走査線ＳＹ（１、２、３、…、ｍ）とそれぞれ接続された第２配線群Ｇ２を備えている。つまり、第２配線群Ｇ２は、走査線ＳＹの本数に対応して少なくともｍ本の配線からなり、且つ、接続パッド部ＰＰ１と接続パッド部ＰＰ２とを電気的に接続する配線である。これにより、第２有効表示部６Ｂの走査線ＳＹ（１、２、３、…、ｍ）は、フレキシブル配線基板ＦＰＣの第２配線群Ｇ２を介して、第２走査線駆動部１１Ｙ２とそれぞれ電気的に接続される。
【００２４】
このような構成において、第２駆動部１１Ｙ２から出力された駆動信号は、第２接続配線ＳＷ（１、２、３、４、…、ｍ）のそれぞれ、第２配線群Ｇ２を構成する各配線、及び、第３接続配線ＴＷ（１、２、３、４、…、ｍ）のそれぞれを介して対応する走査線ＳＹ（１、２、３、４、…、ｍ）に供給され、第２有効表示部６Ｂの表示画素ＰＸをオン・オフさせる。すなわち、第２有効表示部６Ｂの各表示画素ＰＸに含まれるスイッチング素子７は、対応する走査線ＳＹから供給された駆動信号に基づいてオン・オフ制御される。
【００２５】
カラー表示タイプの液晶表示装置では、メイン表示パネル１及びサブ表示パネル２は、複数種類の表示画素、例えば赤（Ｒ）を表示する赤色画素、緑（Ｇ）を表示する緑色画素、青（Ｂ）を表示する青色画素を有している。すなわち、赤色画素は、赤色の主波長の光を透過する赤色カラーフィルタを備えている。緑色画素は、緑色の主波長の光を透過する緑色カラーフィルタを備えている。青色画素は、青色の主波長の光を透過する青色カラーフィルタを備えている。これらカラーフィルタは、アレイ基板または対向基板の主面に配置される。
【００２６】
上述したような第１実施形態に係る表示装置によれば、メイン表示パネル１とサブ表示パネル２とを接続するフレキシブル配線基板ＦＰＣは、サブ表示パネル２の第２有効表示部６Ｂにおいて各信号線Ｘに接続された第１配線群Ｇ１と、第２有効表示部６Ｂにおいて各走査線ＳＹに接続された第２配線群Ｇ２と、を備えている。すなわち、サブ表示パネル２は、第２有効表示部６Ｂにおけるそれぞれの表示画素ＰＸを駆動するための駆動信号を出力する駆動信号源を備えておらず、フレキシブル配線基板ＦＰＣを介してメイン表示パネル１側から供給される駆動信号に基づいて駆動される。
【００２７】
このため、サブ表示パネル２は、フレキシブル配線基板ＦＰＣを接続するためのスペースさえ確保すれば、駆動信号源を配置するためのスペースは不要である。したがって、サブ表示パネル２の額縁を小さくすることができ、また、２つの表示パネルを備えた表示装置全体のサイズを小型化することが可能である。また、サブ表示パネル２を駆動するための別個の駆動信号源も不要である。したがって、表示装置のコストを低減することが可能となる。
【００２８】
また、第１実施形態では、メイン表示パネル１の外周部に配置され第１有効表示部６Ａ及び第２有効表示部６Ｂにおけるそれぞれの表示画素を駆動するための駆動信号を出力する駆動信号源（駆動ＩＣチップ）１１は、第１有効表示部６Ａから引き出された各信号線Ｘに接続されるとともに、メイン表示パネル１の外周部１０における一端側１０Ｃを経由する第１接続配線ＭＷを介して各走査線ＭＹに接続されている。また、駆動信号源１１は、メイン表示パネル１の一端側１０Ｃを経由する第２接続配線ＳＷを介して第２配線群Ｇ２に接続されている。この第１実施形態では、駆動信号源１１は、メイン表示パネル１における第１有効表示部６Ａを経由する配線すなわち信号線Ｘを介して第１配線群Ｇ１に接続されている。
【００２９】
このため、駆動信号源１１は、メイン表示パネル１及びサブ表示パネル２のそれぞれの信号線Ｘに駆動信号を供給するための単一の信号線駆動部、メイン表示パネル１の走査線Ｙに駆動信号を供給するための第１走査線駆動部、及び、サブ表示パネル２の走査線ＳＹに駆動信号を供給するための第２走査線駆動部を備えた構成であれば良く、駆動信号源１１の小型化及び低コスト化が可能となる。
【００３０】
また、メイン表示パネル１において、第１接続配線ＭＷ及び第２接続配線ＳＷは、ともに外周部１０の一端側１０Ｃに配置されている。このため、駆動信号源１１において、第１走査線駆動部及び第２走査線駆動部とは隣接するように配置される。また、外周部１０における他端側１０Ｂに配線群を配置する必要がないため、メイン表示パネル１における他端側１０Ｂの額縁サイズを縮小することが可能となる。さらに、サブ表示パネル２の信号線Ｘと駆動信号源１１とを接続するための接続配線を第１有効表示部６Ａ内に配置したため、外周部１０のサイズを縮小することができるとともに、この接続配線を第１有効表示部６Ａの信号線としたことにより、第１有効表示部６Ａを構成する各表示画素ＰＸの開口率の低減が防止できる。
【００３１】
（第２実施形態）  
次に、第２実施形態について説明するが、第１実施形態と同一構成については同一の参照符号を付して詳細な説明を省略する。
【００３２】
図３に示すように、表示装置の一例としての液晶表示装置は、略矩形平板状の液晶表示パネルすなわちメイン表示パネル（第１表示パネル）１を備えている。このメイン表示パネル１は、画像を表示する矩形状の第１有効表示部６Ａを備えている。この第１有効表示部６Ａは、マトリクス状に配置された複数の表示画素ＰＸによって構成されている。
【００３３】
メイン表示パネル１を構成するアレイ基板３は、第１有効表示部６Ａにおいて、表示画素ＰＸの行方向に沿って延在する複数の走査線ＭＹ（１、２、３、…、ｍ）、表示画素ＰＸの列方向に沿って延在する複数の信号線ＭＸ（１、２、３、…、ｎ）、これら走査線ＭＹと信号線Ｘとの交差部付近において表示画素ＰＸ毎に配置されたスイッチング素子７、スイッチング素子７に接続された画素電極８などを備えている。
【００３４】
メイン表示パネル１は、第１有効表示部６Ａの外側に位置する外周部１０に配置された駆動信号源としての駆動ＩＣチップ１１と、サブ表示パネル２との接続を可能とする接続パッド部ＰＰ１と、を備えている。図３に示した例では、駆動ＩＣチップ１１は、対向基板４の一端部４Ａより外方に延在したアレイ基板３の第１延在部１０Ａ上に配置され、接続パッド部ＰＰ１は、対向基板４の他端部４Ｂより外方に延在したアレイ基板３の第２延在部１０Ｄ上に配置されている。
【００３５】
サブ表示パネル２は、図４に示すように、基本的にメイン表示パネル１と同一構造である。このサブ表示パネル２は、画像を表示する矩形状の第２有効表示部６Ｂを備えている。この第２有効表示部６Ｂは、マトリクス状に配置された複数の表示画素ＰＸによって構成されている。
【００３６】
サブ表示パネル２を構成するアレイ基板３００は、第２有効表示部６Ｂにおいて、表示画素ＰＸの行方向に沿って延在する複数の走査線ＳＹ（１、２、３、…、ｍ）、表示画素ＰＸの列方向に沿って延在する複数の信号線ＳＸ（１、２、３、…、ｎ）、これら走査線ＳＹと信号線Ｘとの交差部付近において表示画素ＰＸ毎に配置されたスイッチング素子７、スイッチング素子７に接続された画素電極８などを備えている。
【００３７】
サブ表示パネル２は、メイン表示パネル１との接続を可能とする接続パッド部ＰＰ２を備えている。図４に示した例では、接続パッド部ＰＰ２は、対向基板４００の一端部４００Ａより外方に延在したアレイ基板３００の延在部３００Ａ上に配置されている。これらメイン表示パネル１とサブ表示パネル２とは、フレキシブル配線基板ＦＰＣを介して電気的に接続されている。すなわち、フレキシブル配線基板ＦＰＣは、メイン表示パネル１の接続パッド部ＰＰ１及びサブ表示パネル２の接続パッド部ＰＰ２にそれぞれ接続されている。このフレキシブル配線基板ＦＰＣを折り曲げることにより、サブ表示パネル２は、メイン表示パネル１の背面側に配置される。
【００３８】
メイン表示パネル１に実装された駆動ＩＣチップ１１は、信号線駆動部１１Ｘ、及び、走査線駆動部１１Ｙを有している。信号線駆動部１１Ｘは、メイン表示パネル１の各信号線Ｘに駆動信号（映像信号）を供給する第１信号線駆動部（第１駆動部）１１Ｘ１及びサブ表示パネル２の各信号線Ｘに駆動信号（映像信号）を供給する第２信号線駆動部（第２駆動部）１１Ｘ２を含んでいる。これら第１信号線駆動部１１Ｘ１及び第２信号線駆動部１１Ｘ２は、隣接するように配置されている。
【００３９】
走査線駆動部１１Ｙは、メイン表示パネル１の各走査線ＭＹに対して駆動信号（走査信号）を供給する第１走査線駆動部（第１駆動部）１１Ｙ１、及び、サブ表示パネル２の各走査線ＳＹに対して駆動信号を供給する第２走査線駆動部（第２駆動部）１１Ｙ２を含んでいる。これら第１走査線駆動部１１Ｙ１及び第２走査線駆動部１１Ｙ２は、隣接するように配置されている。
【００４０】
すなわち、上述したような第２実施形態に係る構成においては、第１走査線駆動部１１Ｙ１及び第２走査線駆動部１１Ｙ２は、第１実施形態と同様に接続されている。また、メイン表示パネル１の第１有効表示部６Ａに配置された信号線ＭＸ（１、２、３、…、ｎ）も、第１実施形態と同様に、それぞれの一端部が第１有効表示部６Ａから引き出されて第１信号線駆動部１１Ｘ１に接続されている。
【００４１】
一方で、サブ表示パネル２の第２有効表示部６Ｂに配置された信号線ＳＸ（１、２、３、…、ｎ）は、それぞれの一端部が第２有効表示部６Ｂから引き出されて接続パッド部ＰＰ２に接続されている。また、第２信号線駆動部１１Ｘ２は、メイン表示パネル１において外周部１０の他端側１０Ｂに配置された第４接続配線ＮＷ（１、２、３、４、…、ｎ）を介して接続パッド部ＰＰ１に接続されている。
【００４２】
フレキシブル配線基板ＦＰＣは、第２有効表示部６Ｂに配置された信号線ＳＸ（１、２、３、…、ｎ）とそれぞれ接続された第１配線群Ｇ１を備えている。つまり、第１配線群Ｇ１は、信号線ＳＸの本数に対応して少なくともｎ本の配線からなり、且つ、接続パッド部ＰＰ１と接続パッド部ＰＰ２とを電気的に接続する配線である。これにより、第２有効表示部６Ｂの信号線ＳＸ（１、２、３、…、ｎ）は、フレキシブル配線基板ＦＰＣの第１配線群Ｇ１を介して、第２信号線駆動部１１Ｘ２とそれぞれ電気的に接続される。
【００４３】
このような構成において、第１信号線駆動部１１Ｘ１は、メイン表示パネル１の各信号線ＭＸに駆動信号（映像信号）を供給する。また、第２信号線駆動部１１Ｘ２は、サブ表示パネル２の各信号線ＳＸに駆動信号（映像信号）を供給する。
【００４４】
上述したような第２実施形態に係る表示装置によれば、第１実施形態と同様に、サブ表示パネル２の額縁を小さくすることができ、また、２つの表示パネルを備えた表示装置全体のサイズを小型化することが可能である。また、サブ表示パネル２を駆動するための別個の駆動信号源も不要であり、表示装置のコストを低減することが可能となる。
【００４５】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【００４６】
この発明の表示装置は、上述した液晶表示装置に限定されるものではなく、自己発光素子を表示素子とする有機エレクトロルミネッセンス表示装置などであっても良い。
【図面の簡単な説明】
【００４７】
【図１】図１は、この発明の第１実施形態に係る液晶表示装置のメイン表示パネルの構成を概略的に示す図である。
【図２】図２は、図１に示したメイン表示パネルに接続可能なサブ表示パネルの構成を概略的に示す図である。
【図３】図３は、この発明の第２実施形態に係る液晶表示装置のメイン表示パネルの構成を概略的に示す図である。
【図４】図４は、図３に示したメイン表示パネルに接続可能なサブ表示パネルの構成を概略的に示す図である。
【符号の説明】
【００４８】
１…メイン表示パネル、２…サブ表示パネル、６Ａ…第１有効表示部、６Ｂ…第２有効表示部、１１…駆動ＩＣチップ、ＰＸ…表示画素、Ｘ…信号線、ＭＹ…走査線（メイン表示パネル）、ＳＹ…走査線（サブ表示パネル）、ＦＰＣ…フレキシブル配線基板
【図１】
0004817740.tif 000002
【図２】
0004817740.tif 000003
【図３】
0004817740.tif 000004
【図４】
0004817740.tif 000005